【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
特別遊技に移行するための特別役を含む役の抽選を行う役抽選手段と、
リールの回転開始命令を受けたときに前記リールの回転を開始するとともに、遊技者によりストップスイッチが操作されたときに、前記役抽選手段による役の抽選結果に対応する位置で前記リールを停止制御するリール制御手段と、
前記役抽選手段で前記特別役に当選したときに、前記特別役に対応する図柄の組合せが有効ラインに停止するまで、前記特別役の当選を次遊技に持ち越すように制御する特別役当選持越し手段と
を備え、
前記役抽選手段は、特定小役を含む役の抽選を、少なくとも、前記特別役当選持越し手段により前記特別役の当選を持ち越している遊技において行い、
前記リール制御手段は、
前記特別役当選持越し手段により前記特別役の当選を持ち越している遊技において前記役抽選手段で前記特定小役に当選したときは、遊技者による前記ストップスイッチの操作態様に応じて有効ラインに停止する図柄の組合せが異なるとともに、特定の前記操作態様で前記ストップスイッチが操作されたときは、遊技者にとって有利となる図柄の組合せが有効ラインに停止するように制御し、
前記特別役当選持越し手段により前記特別役の当選を持ち越している遊技においていずれかの役の当選時には、前記特別役に対応する図柄の組合せを有効ラインに停止させることよりも、当該当選役に対応する図柄の組合せを有効ラインに停止させることを優先し、
前記特別役当選持越し手段により前記特別役の当選を持ち越している遊技の遊技状態として、前記役抽選手段で前記特定小役に当選したときに前記特定の操作態様に係る操作情報を遊技者に報知する報知遊技と、前記役抽選手段で前記特定小役に当選したときであっても前記操作情報を報知しない非報知遊技とを有し、
前記特別役当選持越し手段により前記特別役の当選を持ち越している状態において、前記報知遊技と前記非報知遊技との間を行き来させるように制御する
ことを特徴とするスロットマシン。
【請求項２】
請求項１に記載のスロットマシンにおいて、
前記リールの停止時に、役に対応する図柄の組合せが有効ラインに停止したと判断されたときは、その役に対応する数の遊技媒体を払い出すように制御する払出し手段を備え、
前記特別役当選持越し手段により前記特別役の当選を持ち越している遊技において前記役抽選手段で前記特定小役に当選したときは、Ｙ（Ｙは、１以上の整数）個の遊技媒体を払い出す図柄の組合せと、Ｘ（Ｘは、２以上の整数であって、Ｘ＞Ｙ）個の遊技媒体を払い出す図柄の組合せとを有するように、前記特定小役に対応する図柄の組合せが設定されており、
前記報知遊技において前記役抽選手段で前記特定小役に当選したときは、前記特定の操作態様に係る操作情報を遊技者に報知するように制御し、
前記リール制御手段は、前記特別役当選持越し手段により前記特別役の当選を持ち越している遊技において前記役抽選手段で前記特定小役に当選した場合において、前記ストップスイッチが前記特定の操作態様で操作されたときは、Ｘ個の遊技媒体を払い出す図柄の組合せを有効ラインに停止させ、前記ストップスイッチが前記特定の操作態様以外の操作態様で操作されたときは、前記特別役に対応する図柄の組合せを有効ラインに停止させることよりも、Ｙ個の遊技媒体を払い出す図柄の組合せを有効ラインに停止させることを優先するように制御する
ことを特徴とするスロットマシン。
【手続補正２】
【補正対象書類名】明細書
【補正対象項目名】０００１
【補正方法】変更
【補正の内容】
【０００１】
本発明は、特定小役に当選したときに、ストップスイッチの押し順に応じて、有効ラインに停止する図柄の組合せが異なることにより、遊技者に付与する利益が異なるようにしたスロットマシンに関するものである。
【手続補正３】
【補正対象書類名】明細書
【補正対象項目名】０００７
【補正方法】変更
【補正の内容】
【０００７】
したがって、本発明が解決しようとする課題は、特定小役の当選時に、ストップスイッチの押し順に応じて、遊技者に付与する利益が異なるようにすることである。
さらに、ＡＴ遊技が実行される遊技期間に特徴を持たせることで、従来にはなかったＡＴ遊技を実行することである。
【手続補正４】
【補正対象書類名】明細書
【補正対象項目名】０００８
【補正方法】変更
【補正の内容】
【０００８】
本発明は、以下の解決手段によって上述の課題を解決する。
請求項１の発明は、特別遊技に移行するための特別役を含む役の抽選を行う役抽選手段と、リールの回転開始命令を受けたときに前記リールの回転を開始するとともに、遊技者によりストップスイッチが操作されたときに、前記役抽選手段による役の抽選結果に対応する位置で前記リールを停止制御するリール制御手段と、前記役抽選手段で前記特別役に当選したときに、前記特別役に対応する図柄の組合せが有効ラインに停止するまで、前記特別役の当選を次遊技に持ち越すように制御する特別役当選持越し手段とを備え、前記役抽選手段は、特定小役を含む役の抽選を、少なくとも、前記特別役当選持越し手段により前記特別役の当選を持ち越している遊技において行い、前記リール制御手段は、前記特別役当選持越し手段により前記特別役の当選を持ち越している遊技において前記役抽選手段で前記特定小役に当選したときは、遊技者による前記ストップスイッチの操作態様に応じて有効ラインに停止する図柄の組合せが異なるとともに、特定の前記操作態様で前記ストップスイッチが操作されたときは、遊技者にとって有利となる図柄の組合せが有効ラインに停止するように制御し、前記特別役当選持越し手段により前記特別役の当選を持ち越している遊技においていずれかの役の当選時には、前記特別役に対応する図柄の組合せを有効ラインに停止させることよりも、当該当選役に対応する図柄の組合せを有効ラインに停止させることを優先し、前記特別役当選持越し手段により前記特別役の当選を持ち越している遊技の遊技状態として、前記役抽選手段で前記特定小役に当選したときに前記特定の操作態様に係る操作情報を遊技者に報知する報知遊技と、前記役抽選手段で前記特定小役に当選したときであっても前記操作情報を報知しない非報知遊技とを有し、前記特別役当選持越し手段により前記特別役の当選を持ち越している状態において、前記報知遊技と前記非報知遊技との間を行き来させるように制御することを特徴とする。
【手続補正５】
【補正対象書類名】明細書
【補正対象項目名】０００９
【補正方法】変更
【補正の内容】
【０００９】
請求項２の発明は、請求項１に記載のスロットマシンにおいて、前記リールの停止時に、役に対応する図柄の組合せが有効ラインに停止したと判断されたときは、その役に対応する数の遊技媒体を払い出すように制御する払出し手段を備え、前記特別役当選持越し手段により前記特別役の当選を持ち越している遊技において前記役抽選手段で前記特定小役に当選したときは、Ｙ（Ｙは、１以上の整数）個の遊技媒体を払い出す図柄の組合せと、Ｘ（Ｘは、２以上の整数であって、Ｘ＞Ｙ）個の遊技媒体を払い出す図柄の組合せとを有するように、前記特定小役に対応する図柄の組合せが設定されており、前記報知遊技において前記役抽選手段で前記特定小役に当選したときは、前記特定の操作態様に係る操作情報を遊技者に報知するように制御し、前記リール制御手段は、前記特別役当選持越し手段により前記特別役の当選を持ち越している遊技において前記役抽選手段で前記特定小役に当選した場合において、前記ストップスイッチが前記特定の操作態様で操作されたときは、Ｘ個の遊技媒体を払い出す図柄の組合せを有効ラインに停止させ、前記ストップスイッチが前記特定の操作態様以外の操作態様で操作されたときは、前記特別役に対応する図柄の組合せを有効ラインに停止させることよりも、Ｙ個の遊技媒体を払い出す図柄の組合せを有効ラインに停止させることを優先するように制御することを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
（作用）
本発明においては、特別役の当選を持ち越している遊技中（内部中遊技）では、特定小役を含めて役の抽選が行われる。ここで、特定小役は、遊技者によるストップスイッチの操作態様（本実施形態では、押し順）に応じて有効ラインに停止する図柄の組合せ（本実施形態では、特定小役に対応する図柄の組合せが停止する有効ライン数）が異なる。さらに、特定の操作態様でストップスイッチが操作されたときは、遊技者にとって有利となる（入賞時の払出し枚数が最も多くなる）図柄の組合せが有効ラインに停止する。
【手続補正８】
【補正対象書類名】明細書
【補正対象項目名】００１２
【補正方法】変更
【補正の内容】
【００１２】
そして、特別役の当選を持ち越している内部中遊技では、特定小役の当選時に前記特定の操作態様に係る操作情報を報知する報知遊技（ＡＴ遊技）か、又は前記操作情報を報知しない非報知遊技（非ＡＴ遊技）が実行される。
したがって、特別役の当選を持ち越している状態において、報知遊技又は非報知遊技が実行されるとともに、非報知遊技から報知遊技への移行、及び報知遊技から非報知遊技への移行が行われる。
これにより、特別役の当選を持ち越している内部中遊技において特定小役の当選時に前記操作情報を報知すれば（ＡＴ遊技を実行すれば）、内部中遊技を利用して報知遊技を実行することができる。
【手続補正９】
【補正対象書類名】明細書
【補正対象項目名】００１３
【補正方法】変更
【補正の内容】
【００１３】
本発明によれば、特定小役の当選時に、ストップスイッチの操作態様に応じて、遊技者に付与する利益が異なるようにすることができる。
さらに、内部中遊技に報知遊技と非報知遊技との間を行き来させるので、特別役の当選を持ち越しつつ特定小役の当選時における遊技者への利益を異ならせるという新たな遊技状態を作り出すことができる。